(57)【特許請求の範囲】
【請求項１】
廃棄物処分施設においてその内部に滞留する汚染水が外部に漏出することを防止するための廃棄物処分施設の汚染水漏出防止方法であって、
前記廃棄物処分施設の周囲の地盤に、該廃棄物処分施設の底面を構成する遮水工よりも深層に位置する不透水層まで根入れされた二重の止水壁を構築し、
これら二重の止水壁に挟まれた地盤に、該地盤中に存在する透水層に下端が達し地表に上端が開口する注水パイプを設置し、
該注水パイプから注水して前記透水層に水を満たし、注水パイプの水位を前記廃棄物処分施設の内部に滞留する汚染水の水位よりも高い位置に設定し、
また、前記二重の止水壁に囲まれた廃棄物処分施設の周囲の地盤に、該地盤中に存在する透水層に下端が達し地表に上端が開口する揚水パイプを設置し、
該揚水パイプから前記透水層に漏出した汚染水を揚上して浄化処理することを特徴とする廃棄物処分施設の汚染水漏出防止方法。
【請求項２】
廃棄物処分施設においてその内部に滞留する汚染水が外部に漏出することを防止するための廃棄物処分施設の汚染水漏出防止構造であって、
前記廃棄物処分施設の周囲の地盤に、該廃棄物処分施設の底面を構成する遮水工よりも深層に位置する不透水層まで根入れされて構築された二重の止水壁と、
これら二重の止水壁に挟まれた地盤に、該地盤中に存在する透水層に下端が達し、地表に上端が開口して設置され、前記透水層に水を満たしてさらに廃棄物処分施設の内部に滞留する汚染水の水位よりも高い水位を保つ注水パイプと、
前記二重の止水壁に囲まれた廃棄物処分施設の周囲の地盤に、該地盤中に存在する透水層に下端が達し、地表に上端が開口して設置され、透水層に漏出した汚染水を揚上する揚水パイプと、該揚水パイプから揚上された地下水を浄化処理する浄化設備とを備えることを特徴とする廃棄物処分施設の汚染水漏出防止構造。
【発明の詳細な説明】
【０００１】
【発明の属する技術分野】
本発明は、廃棄物処分施設において、その処分施設から外部に汚染水が漏出することを防止するための廃棄物処分施設の汚染水漏出防止方法および汚染水漏出防止構造に関するものである。
【０００２】
【従来の技術】
廃棄物の最終処分場等の廃棄物処分施設においては、廃棄物の保有していた水分や施設内部に浸透した雨水等による浸出水等が汚染水として施設内部に滞留することがある。この汚染水が外部に漏出して周辺環境を汚染しないように、廃棄物処分施設には廃棄物を遮蔽し汚染水の漏出を防止するための構造が設けられている。
【０００３】
図３は、廃棄物処分施設１における汚染水の漏出を防止する遮水工の一例を示している。図に示す遮蔽構造は、底部に下地工２が施された敷地全面に、クッション砂を緩衝層３として間に挟んだ遮水シート４が二重に敷設され、さらにその上に現地発生土を搬入して保護層５としたものである。
【０００４】
【発明が解決しようとする課題】
このように、従来の廃棄物処分施設では汚染水による周辺土壌や地下水等の汚染を防止するための遮水対策が十分にとられているが、それにもかかわらず処分施設の周辺において地下水の汚染等が生じている例が見られる。これらの原因は遮水構造を構成する遮水シート等の破損が原因と見られているが、いったん廃棄物が収容されてしまった後では破損箇所の特定やその補修等は極めて困難であり、有効な対策工は確立されていないのが現状である。
このため、廃棄物処分施設の遮蔽構造が破損した場合、もしくは予期しない何等かの原因によって汚染水の漏洩が生じた場合の対策工を早急に確立する必要があった。
【０００５】
本発明は上記の事情に鑑みてなされたものであり、廃棄物処分施設からの汚染物質の漏出を防止して周辺環境を健全に保つことを目的としている。
【０００６】
【課題を解決するための手段】
上記の課題を解決するための手段として、廃棄物処分施設の周囲の地盤に、この廃棄物処分施設の底面を構成する遮水工よりも深層に位置する不透水層まで根入れされた二重の止水壁を構築し、これら二重の止水壁に挟まれた地盤中に存在する透水層に下端が達し地表に上端が開口する注水パイプを設置する。そして、この注水パイプから注水して透水層に水を満たし、注水パイプの水位を廃棄物処分施設の内部に滞留する汚染水の水位よりも高い位置に設定する。これにより、止水壁間の地盤中に存在する透水層の水圧が汚染水圧よりも高く設定され、水圧差によって処分場の周囲に遮蔽構造が形成される。
【０００７】
さらに、二重の止水壁に囲まれた地盤中に存在する透水層に下端が達し地表に上端が開口する揚水パイプを設置し、この揚水パイプから透水層に漏出した汚染水を揚上して浄化処理する。これにより、処分施設から周囲の透水層に漏出した汚染水の周辺地盤への拡散が防止される。
【０００８】
なお、透水層から揚上された地下水を浄化処理する浄化設備には、処分施設内部に滞留する浸出水を回収、処理するために通常設置されているものを使用することが望ましい。
【０００９】
【発明の実施の形態】
本発明に係る廃棄物処分施設の汚染水漏出防止構造と、これにより実施される汚染水漏出防止方法の一例を図１および図２に示して説明する。
【００１０】
図１には、従来と同様の遮蔽構造が採用された廃棄物処分施設（以下、単に処分施設）１と、その周囲の地盤に打設、構築された二重の止水壁１０、１１とを示している。これら止水壁１０、１１は間に地盤を挟み所定の間隔を空けて打設されており、図２に示すように処分施設１の遮水工よりも十分深い位置まで根入れされている。これら止水壁１０、１１の具体的な構造としては、鋼矢板連続壁、ソイルセメント連続壁、深層混合処理連続壁、コンクリート地中連続壁等が採用されている。
【００１１】
これら二重の止水壁１０、１１が打設された地盤中には粘性土からなる不透水層１２を間に挟んで透水層が複数存在しており、止水壁１０、１１間に挟まれた透水層１３、１４、１５には、下端が各透水層のいずれかに達し、上端が地表に開口するパイプ１６、１７、１８がそれぞれ設置されている。これらは各透水層に対して注水を行ういわゆる注水パイプであり、各注水パイプ１６、１７、１８にはそれぞれに注水可能なように給水ポンプ（水供給手段）１９が接続されている。
【００１２】
さらに止水壁に囲まれた透水層１３’、１４’、１５’にも、下端が各透水層のいずれかに達し、上端が地表に開口するようにパイプ２０、２１、２２がそれぞれ設置されている。これらは各透水層から揚水を行ういわゆる揚水パイプであり、各揚水パイプ２０、２１、２２にはそれぞれから揚水可能なように吸引ポンプ２３が接続され、さらにその吸引ポンプ２３には揚上された地下水を浄化処理する浄化設備２４が接続されている。浄化設備２４には、処分施設１の内部に滞留する汚染水を回収、処理するために設置されたものがそのまま使用されている。
【００１３】
上記のように構成された処分施設１の汚染水漏出防止構造の運用の仕方を説明する。
まず通常の状態では、止水壁１０、１１に挟まれた地盤中に存在する各透水層１３、１４、１５に注水パイプ１６、１７、１８を通じて注水を行って水を満たしておく。このとき、注水パイプ１６、１７、１８には内部の水位が処分施設１の内部に滞留する汚染水の予想水位（図中Ａ）よりも高い位置、例えば地表面の高さまで注水を行うものとする。このようにすることで、各透水層１３、１４、１５の水圧を処分施設から漏出する汚染水の水圧よりも高く設定し、この水圧差によって施設の周囲に遮蔽構造を形成する。なお、注水する水には、処分施設１の周辺地盤から別に揚上される地下水を利用することが望ましい。
【００１４】
そして、何等かの原因によって処分施設１の遮水工が破損して汚染水の漏出が起きた場合には、止水壁１０、１１間に形成された遮蔽構造により汚染水が施設外の地盤に拡散することが防止される。
【００１５】
また、何等かの原因によって止水壁１０、１１の一部が破損した場合には、破損部分にあたる透水層に満たされた水がその部分から洩れて水位が低下する。そこで、この透水層には給水ポンプ１９から注水パイプの水位を常に一定に保つように注水を行い、透水層の水圧を通常どおりに維持することにより、破損部分から漏出しようとする汚染水が水圧に抑え込まれるので、汚染水が止水壁１０、１１の間に流れ込んだり二重の止水壁１０、１１を通過することがなく、施設外の地盤に拡散することが防止される。
【００１６】
また、止水壁１０、１１に囲まれた地盤中に存在する透水層１３’、１４’、１５’に滞留する汚染水を揚水パイプ２０、２１、２２を通じて揚上することにより、各透水層１３’、１４’、１５’に滞留する汚染水圧による遮水工の破損が防止される。
【００１７】
さらに、何等かの原因によって止水壁１０の一部が破損した場合には、止水壁１０、１１に囲まれた地盤中の透水層１３’、１４’或いは１５’に止水壁１０、１１に挟まれた地盤中の水が流入、滞留し、その水圧による遮水工の破損が危惧されるが、この流入水についても漏出汚染水と同様に揚水パイプ２０、２１、２２を通じて揚上することができ、遮水工の破損を防止することができる。
なお、揚上された汚染水については、浄化設備２４によって処分施設１の内部に滞留する汚染水とともに浄化処理して排水する。
【００１８】
上記のようにすれば、処分施設１の遮水工が第１の遮蔽構造として、止水壁１０と揚水パイプ２０、２１、２２を使用した揚水設備が第２の遮蔽構造として、止水壁１０、１１間に存在する透水層１３、１４、１５に止水壁１０の外側から作用する水圧が第３の遮蔽構造として機能することにより、処分施設１の周囲に三重の遮蔽構造が構築されるので、処分施設の安全性を格段に高めることができる。
【００１９】
またその運用の仕方は水圧を利用する物理的で簡単、確実な原理に基づくものであり、汚染水漏出防止構造自体も単純な構成で付随する各注水パイプ、揚水パイプ、各ポンプ類も特別なものである必要がないので、施工コストを安価に済ませることができる。しかも、一度構造体を構築してしまえば、簡単な水の管理だけで半永久的に遮蔽構造を維持しておくことができる。
【００２０】
本実施形態においては３つの透水層が存在する地盤に設けられた処分施設１について説明したが、本発明の汚染水漏出防止構造は、その他複数もしくは１層の透水層が存在する地盤に構築された処分施設に対しても適用可能である。また、各注水パイプ１６、１７、１８、揚水パイプ２０、２１、２２の設置位置は、給水ポンプ１９や吸引ポンプ２３の設置位置等をも考慮して適切な配置を選択すればよい。
【００２１】
【発明の効果】
以上説明したように、本発明によれば、処分施設に付随して汚染水漏出防止構造を構築しこれを適切に運用することにより、処分施設の周囲に複数の遮蔽対策が講じられるので、処分施設の安全性を格段に高めることができる。
この汚染水漏出防止方法は水圧を利用する物理的で簡単、確実な原理に基づくものであり、汚染水漏出防止構造自体も単純であり付随する装置類も簡単なので、施工コストを安価に済ませることができる。しかも、一度構造体を構築してしまえば、簡単な水の管理だけで半永久的に遮蔽構造を維持しておくことができる。
汚染水の漏出が起き、その原因や漏洩箇所の特定が困難な場合でも、周辺地盤との間の遮蔽構造をもって即座に漏出対策を講じることができる。
【図面の簡単な説明】
【図１】本発明に係る汚染水漏出防止構造とこれを採用した廃棄物処分施設を示す平面図である。
【図２】図１に示した汚染水漏出防止構造と廃棄物処分施設の一部を示す立断面図である。
【図３】廃棄物処分施設における汚染水の漏出を防止する遮蔽構造の一例を示す立断面図である。
【符号の説明】
１  廃棄物処分施設
１０、１１  止水壁
１２  不透水層
１３、１４、１５  透水層
１６、１７、１８  注水パイプ
１９  給水ポンプ（水供給手段）
２０、２１、２２  揚水パイプ
２４  浄化設備
【図１】
0003555057.tif 000002
【図２】
0003555057.tif 000003
【図３】
0003555057.tif 000004